(57)【要約】【課題】  殺菌処理を短時間で行うことができる殺菌ガス浸透装置を提供する。【解決手段】  内部に殺菌ガスが浸透しにくい被殺菌物Ａに殺菌ガスを浸透させる殺菌ガス浸透装置において、被殺菌物Ａが載置される側に複数のガス吸引孔１５が形成されたガス吸引台１１と、そのガス吸引台１１に接続され吸引孔１５を通して被殺菌物Ａ内のガスを吸引するガス吸引手段１２と、被殺菌物Ａの上方で移動可能に設けられた移動台１８に押圧具２１，２２を介して被殺菌物Ａを押圧する押しつぶしローラー１９が設けられた押圧手段１３と、押圧手段１３の押しつぶしローラー１９と共に移動するよう設けられ、押しつぶしローラー１９で押しつぶされた後の被殺菌物Ａに殺菌ガスを噴出する殺菌ガス噴出手段１４とを備えた。【選択図】  図１
2006334078.tif 000002
【特許請求の範囲】
【請求項１】
内部に殺菌ガスが浸透しにくい被殺菌物に殺菌ガスを浸透させる殺菌ガス浸透装置において、被殺菌物が載置される側に複数のガス吸引孔が形成されたガス吸引台と、そのガス吸引台に接続されガス吸引孔を通して被殺菌物内のガスを吸引するガス吸引手段と、被殺菌物の上方で移動可能に設けられた移動台に押圧具を介して被殺菌物を押圧する押しつぶしローラーが設けられた押圧手段と、その押圧手段の押しつぶしローラーと共に移動するよう設けられ、押しつぶしローラーで押しつぶされた後の被殺菌物に殺菌ガスを噴出する殺菌ガス噴出手段とを備えたことを特徴とする殺菌ガス浸透装置。
【請求項２】
内部に殺菌ガスが浸透しにくい被殺菌物に殺菌ガスを浸透させる殺菌ガス浸透装置において、被殺菌物を押圧して通過させる間隔を空けて配置された一対の押しつぶしローラーを有しその一対の押しつぶしローラーの少なくとも一方に被殺菌物に押しつぶしローラーを押し付ける押し付け手段が設けられた押圧手段と、一対の押しつぶしローラーで押しつぶされた後の被殺菌物に殺菌ガスを噴出する殺菌ガス噴出手段とを備えたことを特徴とする殺菌ガス浸透装置。
【請求項３】
上記押しつぶしローラーは、回転支持体に回転自在に筒体が設けられると共に、その筒体に多数の孔が穿設され、上記殺菌ガス噴出手段は、筒体内に筒体の一部に開口して設けられるガス噴出室と、回転支持体を通してガス噴出室内に殺菌ガスを供給するガス配管が接続されて構成される請求項１または２記載の殺菌ガス浸透装置。
【請求項４】
内部に殺菌ガスが浸透しにくい被殺菌物に殺菌ガスを浸透させる殺菌ガス浸透装置において、被殺菌物が載置される側に複数のガス吸引孔が形成されたガス吸引台と、そのガス吸引台に接続されガス吸引孔を通して被殺菌物内のガスを吸引するガス吸引手段と、上記ガス吸引台に設けられ被殺菌物を移送する移送手段と、被殺菌物を押圧する押しつぶしローラーを有する押圧手段と、その押圧手段の押しつぶしローラーで押しつぶされた後の被殺菌物に殺菌ガスを噴出する殺菌ガス噴出手段とを備えたことを特徴とする殺菌ガス浸透装置。
【請求項５】
上記ガス吸引台には殺菌ガス除去部を介して上記ガス吸引手段が接続される請求項１〜４いずれかに記載の殺菌ガス浸透装置。
【請求項６】
少なくとも上記ガス吸引台、上記押圧手段及び上記殺菌ガス噴出手段が環境隔離室に収容される請求項１〜５いずれかに記載の殺菌ガス浸透装置。
【請求項７】
上記環境隔離室に接続され、環境隔離室内のガスを吸引するガス吸引手段を備えた請求項６記載の殺菌ガス浸透装置。
【請求項８】
上記殺菌ガスがオゾンガスである請求項１〜７いずれかに記載の殺菌ガス浸透装置。
【請求項９】
上記オゾンガスの濃度が500〜50000ppmであり、吹きつけるオゾンガスの流速が5〜200L/minである請求項８記載の殺菌ガス浸透装置。
【発明の詳細な説明】
【技術分野】
【０００１】
本発明は、寝具等の被殺菌物に酸化エチレンガス（ＥＯＧ）やオゾンガス等の殺菌ガスを浸透させる殺菌ガス浸透装置に関するものである。
【背景技術】
【０００２】
寝具等を殺菌、滅菌する殺菌装置として、殺菌ガスとしてオゾンを用い、オゾン雰囲気中に被殺菌物を晒すことにより、被殺菌物をオゾン殺菌する装置が提案されている。
【０００３】
一般的に、ベッドマットや枕等の被殺菌物は、その内部に含まれる空気によりオゾン雰囲気中に晒すだけでは、被殺菌物の内部を十分に殺菌することが困難である。そのため、被殺菌物を収容した処理室を真空ポンプ等で吸引排気することにより、被殺菌物の内部の空気を除去し、オゾンガスを被殺菌物の内部に浸透しやすくしている。
【０００４】
被殺菌物の内部に浸透させた殺菌ガスを除去する際には、処理室を吸引して空気を流入させることで十分に殺菌ガスを除去することができる。
【０００５】
また、殺菌ガスを用いる方法の他に、オゾン水を用いる方法がある。その方法は、被殺菌物をオゾン水中に浸漬したり、被殺菌物の表面にオゾン水を噴霧することにより被殺菌物の消毒を行うものである（例えば、特許文献１参照）。
【０００６】
【特許文献１】特開平１１−１５５９３５号公報
【発明の開示】
【発明が解決しようとする課題】
【０００７】
しかしながら、被殺菌物を真空引きして殺菌ガスを浸透しやすくする場合、被殺菌物を収容する真空チャンバ等の機器が必要となり、装置が大掛かりなものとなってしまう。
【０００８】
また、殺菌処理する工程では、被殺菌物が収容された真空チャンバを真空引きし、殺菌処理した後に被殺菌物から殺菌ガスを除去する工程でも、再び真空チャンバを真空引きする必要があり、作業時間が長くなるという問題がある。
【０００９】
また、オゾン水を用いた殺菌方法では、オゾン水を吹きつけた後、被殺菌物を乾燥させる工程が必要であり、殺菌後の処理に大幅な時間を要し、同様に作業時間が長くなってしまう。
【００１０】
そこで、本発明の目的は、上記課題を解決し、短時間で殺菌処理を行うことができ、装置を簡便な構成とすることができる殺菌ガス浸透装置を提供することにある。
【課題を解決するための手段】
【００１１】
上記目的を達成するために、請求項１の発明は、内部に殺菌ガスが浸透しにくい被殺菌物に殺菌ガスを浸透させる殺菌ガス浸透装置において、被殺菌物が載置される側に複数のガス吸引孔が形成されたガス吸引台と、そのガス吸引台に接続されガス吸引孔を通して被殺菌物内のガスを吸引するガス吸引手段と、被殺菌物の上方で移動可能に設けられた移動台に押圧具を介して被殺菌物を押圧する押しつぶしローラーが設けられた押圧手段と、その押圧手段の押しつぶしローラーと共に移動するよう設けられ、押しつぶしローラーで押しつぶされた後の被殺菌物に殺菌ガスを噴出する殺菌ガス噴出手段とを備えた殺菌ガス浸透装置である。
【００１２】
請求項２の発明は、内部に殺菌ガスが浸透しにくい被殺菌物に殺菌ガスを浸透させる殺菌ガス浸透装置において、被殺菌物を押圧して通過させる間隔を空けて配置された一対の押しつぶしローラーを有しその一対の押しつぶしローラーの少なくとも一方に被殺菌物に押しつぶしローラーを押し付ける押し付け手段が設けられた押圧手段と、一対の押しつぶしローラーで押しつぶされた後の被殺菌物に殺菌ガスを噴出する殺菌ガス噴出手段とを備えた殺菌ガス浸透装置である。
【００１３】
請求項３の発明は、上記押しつぶしローラーは、回転支持体に回転自在に筒体が設けられると共に、その筒体に多数の孔が穿設され、上記殺菌ガス噴出手段は、筒体内に筒体の一部に開口して設けられるガス噴出室と、回転支持体を通してガス噴出室内に殺菌ガスを供給するガス配管が接続されて構成される請求項１または２記載の殺菌ガス浸透装置である。
【００１４】
請求項４の発明は、内部に殺菌ガスが浸透しにくい被殺菌物に殺菌ガスを浸透させる殺菌ガス浸透装置において、被殺菌物が載置される側に複数のガス吸引孔が形成されたガス吸引台と、そのガス吸引台に接続されガス吸引孔を通して被殺菌物内のガスを吸引するガス吸引手段と、上記ガス吸引台に設けられ被殺菌物を移送する移送手段と、被殺菌物を押圧する押しつぶしローラーを有する押圧手段と、その押圧手段の押しつぶしローラーで押しつぶされた後の被殺菌物に殺菌ガスを噴出する殺菌ガス噴出手段とを備えた殺菌ガス浸透装置である。
【００１５】
請求項５の発明は、上記ガス吸引台には殺菌ガス除去部を介して上記ガス吸引手段が接続される請求項１〜４いずれかに記載の殺菌ガス浸透装置である。
【００１６】
請求項６の発明は、少なくとも上記ガス吸引台、上記押圧手段及び上記殺菌ガス噴出手段が環境隔離室に収容される請求項１〜５いずれかに記載の殺菌ガス浸透装置である。
【００１７】
請求項７の発明は、上記環境隔離室に接続され、環境隔離室内のガスを吸引するガス吸引手段を備えた請求項６記載の殺菌ガス浸透装置である。
【００１８】
請求項８の発明は、上記殺菌ガスがオゾンガスである請求項１〜７いずれかに記載の殺菌ガス浸透装置である。
【００１９】
請求項９の発明は、上記オゾンガスの濃度が500〜50000ppmであり、吹きつけるオゾンガスの流速が5〜200L/minである請求項８記載の殺菌ガス浸透装置である。
【発明の効果】
【００２０】
本発明によれば、殺菌処理を短時間で行うことができるという優れた効果を発揮する。
【発明を実施するための最良の形態】
【００２１】
以下、本発明の好適な第一の実施形態を添付図面に基づいて詳述する。
【００２２】
本実施の形態の殺菌ガス浸透装置は、被殺菌物が寝具（布団、ベッドマット、枕等）、クッション、ソファ等、その内部に空気を含むものに対して特に効果を有し、また、他の衣類やリネン製品等にも適用することができるものである。また、実施の形態では殺菌ガスとしてオゾンガスを用いた装置について説明するが、本発明の殺菌ガス浸透装置に用いる殺菌ガスはオゾンガスに限定されない。
【００２３】
図１は本発明に係る殺菌ガス浸透装置の好適な実施の形態を示した概略図である。
【００２４】
本実施の形態の殺菌ガス浸透装置１０は、被殺菌物Ａを載置し、被殺菌物Ａ内のガスを吸引するガス吸引台１１と、ガス吸引台１１に接続されるガス吸引手段１２と、被殺菌物Ａを押圧する押圧手段１３と、殺菌ガスを噴出する殺菌ガス噴出手段１４とを備える。
【００２５】
ガス吸引台１１の被殺菌物Ａを載置する側（図１上側）には複数のガス吸引孔１５が形成され、ガス吸引台１１の内部はガスを流通可能に形成されている。ガス吸引手段１２は、ガス吸引ライン１６を介してガスを流通可能にガス吸引台１１に接続され、被殺菌物Ａ内のガスをガス吸引孔１５を通して吸引する手段である。ガス吸引手段１２としては真空ポンプ等が挙げられる。また、装置１０では、ガス吸引手段１２は殺菌ガス除去部１７を介してガス吸引台１１に接続されており、殺菌ガス除去部１７として、オゾンガスを除去するオゾン分解触媒を設けた。
【００２６】
押圧手段１３は、被殺菌物Ａを押圧して被殺菌物Ａ内のガスを押し出す手段であり、移動台１８と、押しつぶしローラー１９と、押圧具２１とを備える。移動台１８は被殺菌物Ａの上方に移動可能に設けられる。移動台１８には押圧具２１及び支持棒２２とがそれぞれ回動可能に設けられている。押圧具２１及び支持棒２２の他端はそれぞれ押しつぶしローラー１９の軸に回動可能に連結されている。押圧具２１としては、押しつぶしローラー１９を下方（被殺菌物Ａ側）に押圧可能なシリンダを設けた。押圧具２１、支持棒２２を移動台１８及び押しつぶしローラー１９にそれぞれ回動可能に連結することで、シリンダが伸縮すると、押しつぶしローラー１９が上下に移動することができる。尚、押圧具２１及び支持棒２２は押しつぶしローラー１９の反対側にも同様に設けられている。
【００２７】
押圧具２１をシリンダの代わりに長さ固定長の押しつぶし軸としてもよく、その際は移動台１８の重みにより被殺菌物Ａを押圧する。
【００２８】
ガス噴出手段１４は、押しつぶしローラー１９内に設けられている。ガス噴出手段１４には、ガス供給ライン２５を介して、殺菌ガス源であるオゾン発生装置２６が接続され、そのガス供給ライン２５にはコンプレッサ２７が分岐接続されている。
【００２９】
さらに、少なくともガス吸引台１１、被殺菌物Ａ、押圧手段１３及び殺菌ガス噴出手段１４は、外部とガスの受け渡しがされないよう環境隔離室２８内に収容されている。
【００３０】
本実施の形態の殺菌ガス浸透装置１０では、押圧手段１３と殺菌ガス噴出手段１４とを一体に設けている。
【００３１】
図２に示すように、押しつぶしローラー１９は、回転支持体３１である一対の端板と、回転支持体３１の外周に設けられる筒体３３とで構成される。筒体３３は、その両端面で２つの端板によりベアリングを介して支持され、回転自在の構造としている。両端板の中心にはローラー軸３２が設けられ、ローラー軸３２は押圧具２１及び支持棒２２に把持されている。また、筒体３３には多数の孔３７が穿設されている。
【００３２】
筒体３３内には、端板間を連結する仕切壁３４が設けられ、その仕切壁３４によって筒体３３の一部に開口するガス噴出室３５が形成されている。ガス噴出室３５は、押しつぶしローラー１９が移動する方向を前方とすると、筒体３３内で後方下側に形成される。ガス噴出室３５にはガス配管３６が接続され、ガス配管３６は端板を通してガス供給ライン２５に接続されている。すなわち、装置１０では、ガス噴出室３５とガス配管３６とでガス噴出手段１４を構成している。
【００３３】
次に、本実施の形態の作用について説明する。
【００３４】
ガス吸引台１１上に載置された被殺菌物Ａ上の押圧手段１３は、押圧具２２の伸長によって押しつぶしローラー１９が被殺菌物Ａを押圧する。押しつぶしローラー１９は、被殺菌物Ａの内部に含まれる空気を押し出して、被殺菌物Ａが局所的に圧縮される。
【００３５】
押圧手段１３が、移動台１８によって（図１で右方向に）移動すると、押しつぶしローラー１９の筒体３３が、押圧具２１による力と被殺菌物Ａとの摩擦により回転しながら移動する。すなわち、押圧手段１３は被殺菌物Ａを局所的に押圧しながら、被殺菌物Ａ上を移動する。
【００３６】
また、押圧手段１３が移動すると、被殺菌物Ａの圧縮されていた箇所は、周囲の気体（ガス）を吸収して元の状態に（元の厚さに）戻る。
【００３７】
一方、ガス噴出手段１４には、オゾン発生装置２６からオゾンガスが供給されている。具体的には、オゾンガスは、オゾン発生装置２６からガス供給ライン２５を通り、ガス配管３６を通って、ガス噴出室３５に流入する。ガス噴出室３５のオゾンガスは、筒体３３に形成された孔３７から外部へ噴出している。ここで、筒体３３には複数の孔３７が全周にわたって形成されているため、筒体３３が回転しても、複数ある孔３７のいずれかが常にガス噴出室３５の開口部に位置し、オゾンガスは常に噴出される。ガス噴出室３５は、筒体３３内の後方下側に設けられているため、ガス噴出室３５から噴出するオゾンガスは、押しつぶしローラー１９の移動によって、被殺菌物Ａの元の状態に戻ろうとする箇所の周辺に噴出される。
【００３８】
これにより、押圧された被殺菌物Ａの周囲（近傍）はオゾンガス雰囲気となり、被殺菌物Ａは、元の状態に復元する際にオゾンガスを吸収する。したがって、オゾンガスが被殺菌物Ａの内部に浸透し、浸透したオゾンガスにより被殺菌物Ａの内部を殺菌することができる。
【００３９】
押圧手段１３によって被殺菌物Ａを押圧する力は、被殺菌物Ａにより適宜選択されるが、被殺菌物Ａの厚さが元の（無負荷状態の）半分程度になるぐらいが好ましい。
【００４０】
また、ガス噴出手段１４から吹きつけるオゾンガスの流速、オゾンガスの濃度、押圧手段１３の移動速度、押圧手段１３の往復回数（殺菌回数）は、要求される殺菌レベル等により適宜選択されるが、オゾンガスの濃度は500〜50000ppm、噴出させるオゾンガスの流速は5〜200L/minであるのが好ましい。
【００４１】
次に、オゾンガスを十分に浸透させて被殺菌物Ａを殺菌した後、オゾン発生装置２６の代わりに、ガス吸引手段１２及びコンプレッサ２７を駆動させる。上述の殺菌ガスを浸透させたときと同様に、押圧手段１３で被殺菌物Ａを押圧しながら、押圧手段１３を移動させる。このとき、被殺菌物Ａからオゾンが押し出されると共に、コンプレッサ２７からガス噴出手段１４を介して供給される圧縮空気が被殺菌物Ａに浸透する。これと同時に、ガス吸引手段１２を駆動させているので、被殺菌物Ａ内のオゾンガスの大部分がガス吸引孔１５から吸引される。ガス吸引ライン１６には、殺菌ガス除去部１７が接続されているので、殺菌ガス除去部１７にてオゾンが除去され、オゾンと共に吸引された空気のみが外部に排気される。
【００４２】
本実施の形態の殺菌ガス浸透装置１０は、被殺菌物Ａを押圧手段１３で押圧して局所的に圧縮し、圧縮された状態から元の状態に戻る際の被殺菌物Ａのガス吸引作用により殺菌ガスを浸透させている。したがって、被殺菌物Ａを収容した空間（本実施の形態では環境隔離室２８）を真空引きする必要がなく、被殺菌物Ａに殺菌ガスを浸透させることができるので、作業時間を短縮することができる。被殺菌物Ａを殺菌した後、被殺菌物Ａから殺菌ガスを除去する際にも、被殺菌物Ａを収容した空間を真空引きする必要がなく、さらに作業時間を短縮させることができる。
【００４３】
また、環境隔離室２８内を真空引きする必要がないので、その環境隔離室２８を真空チャンバ等の大掛かりな真空装置で構成する必要がなく、装置の構成をより簡単にすることができる。
【００４４】
本実施の形態では、被殺菌物Ａにオゾンガスを浸透させる殺菌ガス浸透工程を行った後、被殺菌物Ａからオゾンガスを除去する殺菌ガス除去工程を行ったが、オゾン発生装置２６と共にガス吸引手段１２を駆動させて、オゾンガスを被殺菌物Ａ内に浸透させると同時に被殺菌物Ａからオゾンガスを吸引するようにしてもよい。
【００４５】
このように殺菌ガスを浸透させて、その殺菌ガスを即吸引する方法は、要求される殺菌レベルが低いときに用いられる。殺菌ガスを即吸引する方法では、殺菌ガス浸透装置の外部との隔離を厳重にする必要がなく、殺菌ガス浸透装置１０を環境隔離室２８内に設けなくともよい。
【００４６】
装置１０では、押しつぶしローラー１９にガス噴出手段１４が一体に形成されているが、ガス噴出手段１４は、被殺菌物Ａが圧縮されて元の状態に戻る位置に殺菌ガスを吹きつける構造であればよい。例えば、ガス噴出手段１４は、ガス供給ライン２５に接続されるガス配管３６が移動台１８に固定され、ガス配管３６の先端が、押しつぶしローラー１９の後方に位置し、かつ被殺菌物Ａに向けて形成されるようにしてもよい。
【００４７】
本実施の形態の殺菌ガス浸透装置１０では、押圧手段１３が移動する構造としたが、被殺菌物Ａが移動するような構造としてもよい。例えば、被殺菌物Ａを移動させる移送手段としてガス吸収台１１の表面を循環するベルトコンベアを設け、そのベルトコンベアにも複数のガス吸引孔を形成して被殺菌物Ａを移送する構造としてもよい。また、ガス吸引台１１に、ガス吸引台１１を移動させる移送手段を設けた構造としてもよい。
【００４８】
次に、本発明に係る殺菌ガス浸透装置の好適な第二の実施の形態について図３に基づいて説明する。
【００４９】
図３において、図１と同様の部材には同じ符号を付しており、これら部材についての説明は省略する。
【００５０】
本実施の形態の殺菌ガス浸透装置４０は、押圧手段として、被殺菌物Ａを通過させることができる間隔を設けて配置される一対の押しつぶしローラー（以下、ローラー）４１，４１が設けられ、それらのローラー４１，４１の少なくとも一方（図では一方のみ）には、ローラー４１を他方のローラー４１側に押し付ける押し付け手段４２が設けられている。
【００５１】
オゾン発生装置２６及びコンプレッサ２７に接続されるガス供給ライン２５を分岐し、分岐したガス供給ライン２５の先端には、ガス噴出手段として、ガス吹きつけノズル４３，４３がそれぞれ設けられる。ガス吹きつけノズル４３，４３は、一対のローラー４１，４１間から被殺菌物Ａが送り出される位置に、かつ被殺菌物Ａの厚さ方向の両側に配置される。
【００５２】
また、環境隔離室２８内のオゾンガスを吸引するガス吸引手段１２がガス吸引ライン１６を介して環境隔離室２８に接続されている。装置４０では、ガス吹きつけノズル４３に接続されるオゾン発生装置２６及びコンプレッサ２７を環境隔離室２８内に設けたが、ガス吹きつけノズル４３に接続されれば環境隔離室２８の外部に設けてもよい。
【００５３】
被殺菌物Ａは、一対のローラー４１，４１間に挿入される。一対のローラー４１，４１は互いに逆回転しており、挿入された被殺菌物Ａを反対側に送出する。被殺菌物Ａをローラー４１，４１間に挿入した直後、押し付け手段４２でローラー４１を被殺菌物Ａに押し付け、両ローラー４１，４１に挟まれた被殺菌物Ａは圧縮される。さらに、両ローラー４１，４１は互いに逆回転しているので、被殺菌物Ａは挿入側と反対側に送出されると共に、元の厚さに復元される。ここで、送出された側のローラー４１の近傍ではガス吹きつけノズル４３からオゾンガスが吹きつけられている。従って、前実施の形態と同様に、元の厚さに復元する被殺菌物Ａのガス吸引作用により、被殺菌物Ａは、吹きつけられたオゾンガスを吸引して、その内部はオゾンガスが浸透した状態になる。
【００５４】
また、被殺菌物Ａの内部に浸透したオゾンガスを除去する際には、再び、被殺菌物Ａをローラー４１，４１の挿入側から挿入する。両ローラー４１，４１は、被殺菌物Ａの内部に浸透していたオゾンガスを押し出しながら被殺菌物Ａを反対側に送り出すと共に、ガス吹きつけノズル４３，４３は、送り出された被殺菌物Ａに圧縮空気を吹きつけ、空気を浸透させる。さらに、これと同時に、環境隔離室２８に接続されたガス吸引手段１２を駆動させて、環境隔離室２８内に拡散するオゾンを含む空気を吸引して環境隔離室２８内からオゾンガスを排気する。
【００５５】
本実施の形態の殺菌ガス浸透装置４０では、図１の殺菌ガス浸透装置１０と同様に、被殺菌物Ａを収容した空間を真空引きする必要がなく、被殺菌物Ａに殺菌ガスを浸透させることができるので、作業時間を短縮することができる。
【００５６】
また、装置４０では、オゾンガスを用いて被殺菌物Ａを殺菌しており、被殺菌物Ａを乾燥させる工程等は必要なく、作業時間を短縮することができる。
【００５７】
本実施の形態のガス浸透装置４０は、上述の実施の形態に限定されるものではなく、例えば、図３のガス吹きつけノズル４３の代わりに、両ローラー４１，４１内に、図２に示した殺菌ガス噴出手段１４を設けてもよい。
【図面の簡単な説明】
【００５８】
【図１】第１の実施の形態の殺菌ガス浸透装置を示す概略図である。
【図２】図１の要部拡大側面図である。
【図３】第２の実施の形態の殺菌ガス浸透装置を示す概略図である。
【符号の説明】
【００５９】
１０  殺菌ガス浸透装置
１１  ガス吸引台
１２  ガス吸引手段
１３  押圧手段
１４  ガス噴出手段
１５  ガス吸引孔
１８  移動台
１９  押しつぶしローラー
２１  押圧具
【図１】
2006334078.tif 000003
【図２】
2006334078.tif 000004
【図３】
2006334078.tif 000005